(57)【要約】【課題】各電圧が所定の順番で立ち上がり、各部品が誤動作しにくい、ノイズが発生しにくい、コストが安い液晶表示装置を提供する。【解決手段】複数の信号線１７および複数の走査線１８を有する液晶パネル１１と、各信号線１７を駆動する信号線駆動部１５と、各走査線１８を駆動する走査線駆動部１６と、電源電圧が入力され各電圧を出力する電源部１３と、外部信号が入力される制御部１２とを備え、制御部１２は外部信号の入力開始を検知すると、電源部１３に対し、時間間隔をおいて順番に複数の制御信号を立ち上がらせ、信号線駆動部１５および走査線駆動部１６に対し、前記順番通りに、各電圧を立ち上がらせる。【選択図】図１
2007065136.tif 000002
【特許請求の範囲】
【請求項１】
複数の信号線および複数の走査線を有する液晶パネルと、各信号線を駆動する信号線駆動部と、各走査線を駆動する走査線駆動部と、電源電圧が入力され各電圧を出力する電源部と、外部信号が入力される制御部とを備え、前記制御部は前記外部信号の入力開始を検知すると、前記電源部に対し、時間間隔をおいて順番に複数の制御信号を立ち上がらせ、前記信号線駆動部および前記走査線駆動部に対し、前記順番通りに各電圧を立ち上がらせる事を特徴とする液晶表示装置。
【請求項２】
前記制御部は前記外部信号の入力停止を検知すると、前記制御部は前記電源部に対し、時間間隔をおいて、前記順番と逆順に各制御信号を立ち下がらせ、前記信号線駆動部および前記走査線駆動部に対し、前記逆順の通りに、各電圧を立ち下がらせる事を特徴とする請求項１の液晶表示装置。
【請求項３】
前記制御部に設けられた信号生成部は、前記液晶表示装置内で生成されたクロック信号および前記外部信号が入力され、前記外部信号の入力開始時点または入力停止時点から前記クロック信号をカウントする事により、前記複数の制御信号を生成する事を特徴とする請求項１または請求項２の液晶表示装置。
【請求項４】
前記外部信号は、データイネーブル信号またはドットクロック信号または垂直同期信号または水平同期信号の中の少なくとも１つの信号である事を特徴とする請求項１ないし請求項３のいずれか１つに記載した液晶表示装置。
【請求項５】
前記電源部は駆動電圧を出力するための駆動電圧変換部と、各電圧を出力するための各電圧変換部と、各電圧変換部の出力側に接続された各スイッチ部とを有し、各スイッチ部の制御端子は各制御信号が入力され、最初に、前記駆動電圧が立ち上がり、その後に、各制御信号が前記順番通りに立ち上がり、各スイッチ部が前記順番通りに閉成される事により各電圧が前記順番通りに立ち上がる事を特徴とする請求項１の液晶表示装置。
【請求項６】
前記クロック信号は、前記電源部が出力する駆動電圧と、殆ど同時に立ち上がり、前記駆動電圧と、殆ど同時に立ち下がる様に、構成された事を特徴とする請求項３の液晶表示装置。
【発明の詳細な説明】
【技術分野】
【０００１】
本発明は液晶表示装置に関する。
【背景技術】
【０００２】
従来、この種の装置は例えば、特許文献１に示されている。特許文献１の図１によると液晶パネル１１と、ゲートドライバ１２と、ソースドライバ１３と、コントロールＩＣ１４と、電源ＩＣ１５とからなる液晶表示装置が示されている。
【０００３】
電源ＩＣ１５は、ソースドライバ１３に対し、駆動用電圧３．３ボルトおよび第１電圧５ボルトを出力している。電源ＩＣ１５は、ゲートドライバ１２に対し、駆動電圧３．３ボルトおよび第２電圧１５ボルトおよび第３電圧−１５ボルトを出力している。また、コントロールＩＣ１４は、画像データが入力され、ソースドライバ１３に対し、表示データ等を出力している。そして、電源ＩＣ１５には、電源電圧の電圧が供給されている。
【特許文献１】特開２００４−４５７４８号公報
【発明の開示】
【発明が解決しようとする課題】
【０００４】
しかし上記装置では、ソースドライバ１３に対し、駆動電圧の入力前に、表示データや第１電圧が入力される事がある。また、ゲートドライバ１２に対し、駆動電圧の入力前に第２電圧が入力される事がある。そのため、各部品が誤動作したり、故障する、第１の欠点がある。
【０００５】
本発明者は、この欠点を解消するために、コントローラＩＣ１４が出力する垂直クロック信号が入力され、制御信号を出力するアナログＩＣを設けた。なお、この制御信号は、駆動電圧と、表示データと、第１電圧と、第２電圧の出力順序を定めるものである。しかし、デジタル信号を取り扱うコントローラＩＣ１４の出力側にアナログＩＣを設けるのでノイズが発生し易い、第２の欠点がある。更に、アナログＩＣを新たに設けるので、コストが高くなる、第３の欠点がある。
【０００６】
そこで、本発明は、この様な従来の欠点を考慮し、各電圧が所定の順番で立ち上がり、各部品が誤動作しにくい、ノイズが発生しにくい、コストが安い液晶表示装置を提供するものである。
【課題を解決するための手段】
【０００７】
上記課題を解決するために、請求項１の本発明では、複数の信号線および複数の走査線を有する液晶パネルと、各信号線を駆動する信号線駆動部と、各走査線を駆動する走査線駆動部と、電源電圧が入力され各電圧を出力する電源部と、外部信号が入力される制御部とを備え、前記制御部は前記外部信号の入力開始を検知すると、前記電源部に対し、時間間隔をおいて順番に複数の制御信号を立ち上がらせ、前記信号線駆動部および前記走査線駆動部に対し、前記順番通りに各電圧を立ち上がらせる。
【０００８】
請求項２の本発明では、前記制御部は前記外部信号の入力停止を検知すると、前記制御部は前記電源部に対し、時間間隔をおいて、前記順番と逆順に各制御信号を立ち下がらせ、前記信号線駆動部および前記走査線駆動部に対し、前記逆順の通りに、各電圧を立ち下がらせる。
【０００９】
請求項３の本発明では、前記制御部に設けられた信号生成部は、前記液晶表示装置内で生成されたクロック信号および前記外部信号が入力され、前記外部信号の入力開始時点または入力停止時点から前記クロック信号をカウントする事により、前記複数の制御信号を生成する。
【００１０】
請求項４の本発明では、前記外部信号は、データイネーブル信号またはドットクロック信号または垂直同期信号または水平同期信号の中の少なくとも１つの信号である。
【００１１】
請求項５の本発明では、前記電源部は駆動電圧を出力するための駆動電圧変換部と、各電圧を出力するための各電圧変換部と、各電圧変換部の出力側に接続された各スイッチ部とを有し、各スイッチ部の制御端子は各制御信号が入力され、最初に、前記駆動電圧が立ち上がり、その後に、各制御信号が前記順番通りに立ち上がり、各スイッチ部が前記順番通りに閉成される事により各電圧が前記順番通りに立ち上がる。
【００１２】
請求項６の本発明では、前記クロック信号は、前記電源部が出力する駆動電圧と、殆ど同時に立ち上がり、前記駆動電圧と、殆ど同時に立ち下がる様に、構成された。
【発明の効果】
【００１３】
請求項１の構成により、制御部は外部信号の入力開始を検知すると、時間間隔をおいて順番に複数の制御信号を立ち上げるので、各電圧を所定の順番通りに、確実に立ち上げることができる。その結果、各部品が誤動作しにくい。
【００１４】
請求項２の構成により、制御部は外部信号の入力停止を検知すると、時間間隔をおいて逆順に複数の制御信号を立ち下げるので、各電圧を所定の順番通りに、確実に立ち下げることができる。
【００１５】
請求項３の構成の様に、制御部内に設けられた信号生成部により、複数の制御信号を生成するので、従来に比べ、信号生成部を設けるだけである。その結果、製品のコストが従来より安くなる。また、制御部内では、デジタル処理しているので、従来の様なノイズが発生しにくい。
【００１６】
請求項４の構成の様に、前記外部信号は、データイネーブル信号またはドットクロック信号または垂直同期信号または水平同期信号の中の少なくとも１つの信号であるので、画像データが入力される時には、必ず、前記信号のいずれかが入力される。従って、画像データが入力されると、必ず、前記各電圧は立ち上がり、正常な表示ができる。
【００１７】
請求項５の構成により、駆動電圧が立ち上がった後に、各電圧を順番通りに立ち上げるので、従来の様に、駆動電圧の入力前に各電圧が印加し、各部品が故障したり、誤動作する事を防止できる。
【００１８】
請求項６の構成の様に、前記クロック信号は、前記電源部が出力する駆動電圧と、殆ど同時に立ち上がり、前記駆動電圧と、殆ど同時に立ち下がる様に、構成された。従って、信号生成部は、前記外部信号の入力開始時点または入力停止時点から前記クロック信号を正確にカウントする事ができる。
【発明を実施するための最良の形態】
【００１９】
以下に、図面と実施例により、本発明を実施するための最良の形態を詳細に説明する。
【実施例】
【００２０】
以下、図１ないし図４に従い、実施例に係る液晶表示装置１０を説明する。図１は液晶表示装置１０を示すブロック図、図２は液晶表示装置１０に用いられる制御部１２のブロック図、図３は液晶表示装置１０に用いられる電源部１３のブロック図、図４はタイミングチャートである。
【００２１】
図１において、液晶表示装置１０は、液晶パネル１１と、制御部１２と、電源部１３とガンマ補正部１４と、複数個の信号線駆動部１５と、複数個の走査線駆動部１６等からなる。
【００２２】
液晶パネル１１は例えば、下ガラス基板上に、複数個設けられた信号線１７と、複数個の走査線１８と、それらの交点近傍に設けられたＴＦＴと、ＴＦＴに接続された画素電極などを有する。液晶パネル１１は、上ガラス基板に設けられた共通電極と、下ガラス基板および上ガラス基板との間に設けられた液晶（共に図示せず）等を有する。
【００２３】
信号線駆動部１５は各信号線１７を駆動するドライバである。走査線駆動部１６は各走査線１８を駆動するドライバである。
【００２４】
図１において、制御部１２は、図示しない入力インタフェースを介し、コンピュータ、テレビジョン装置、ビデオ再生装置、ＤＶＤ再生装置、ナビゲーション本体等から送られた、例えばＲＧＢ各６ビットのデジタル画像データＩＲＤ，ＩＧＤ，ＩＢＤと、データイネーブル信号ＤＥ、ドットクロック信号ＤＯＴＣＬＫ、垂直同期信号ＶＳＹＮＣ、水平同期信号ＨＳＹＮＣ等を取り込む。
【００２５】
外部信号Ｘは、データイネーブル信号ＤＥまたはドットクロック信号ＤＯＴＣＬＫまたは垂直同期信号ＶＳＹＮＣまたは水平同期信号ＨＳＹＮＣの中の、少なくとも１つの信号である。この様に、外部信号Ｘは制御部１２に入力される。
【００２６】
そして、制御部１２は、上記各信号をデジタル的に信号処理し、デジタルＲＧＢ表示データＤＲ，ＤＧ，ＤＢ、水平クロック信号Ｘ＿ＣＬＫ、ストローブ信号ＳＴＲＢ、極性反転信号ＰＯＬ、およびスタートパルス信号ＥＩＳを、それぞれ信号線駆動部１５へ供給する。
【００２７】
制御部１２は、走査線駆動部１６に対し、スタートパルスＦＬＭ、垂直クロック信号ＣＰＶ、ゲートイネーブル信号ＯＥを供給する。
【００２８】
制御部１２の一具体例を、図２に従い、説明する。制御部１２は、クロック信号ＥＸＴＣＬＫの入力端子３１と、データイネーブル信号ＤＥ入力端子３４と、ＲＧＢ各６ビットのデジタル画像データＩＲＤ，ＩＧＤ，ＩＢＤの入力端子３５と、クロック信号ＤＯＴＣＬＫ入力端子３６と、垂直同期信号ＶＳＹＮＣ入力端子３２と、水平同期信号ＨＳＹＮＣ入力端子３３等を有している。
【００２９】
そして、制御部１２は、デジタルＲＧＢ表示データＤＲ，ＤＧ，ＤＢの出力端子４３と、水平クロック信号Ｘ＿ＣＬＫ出力端子４４と、ストローブ信号ＳＴＲＢ出力端子４０と、極性反転信号ＰＯＬ出力端子４１と、スタートパルス信号ＥＩＳ出力端子４２と、制御信号Ｎ１，Ｎ２，Ｎ３の出力端子５６等を有している。
【００３０】
制御部１２の内部には、大きく分けて前処理部４５と、データイネーブル信号ＤＥカウンタ４６と、水平同期信号ＨＳＹＮＣカウンタ４７と、ドットクロック信号ＤＯＴＣＬＫカウンタ４８を備えている。前処理部４５からの出力信号と、ＤＥカウンタ４６の出力信号と、ＨＳＹＮＣカウンタ４７の出力信号と、ＤＯＴＣＬＫカウンタ４８の出力信号とにより、スタートパルス出力手段（ＦＬＭ生成回路４９）において、スタートパルスＦＬＭ信号が生成され、ＤＯＴＣＬＫカウンタ４８の出力信号により、ＣＰＶ生成回路５０において、垂直クロック信号ＣＰＶが生成される。
【００３１】
また、ＤＯＴＣＬＫカウンタ４８の出力信号により、ＯＥ生成回路５１によりゲートイネーブル信号ＯＥが、ストローブ生成回路５２によりストローブ信号ＳＴＲＢが生成される。ＰＯＬ生成回路５３により極性反転信号ＰＯＬが生成され、ＥＩＳ生成回路５４によりスタートパルス信号ＥＩＳが生成される。更に、デジタル画像データＩＲＤ，ＩＧＤ，ＩＢＤは、データシフト回路５５において処理されて、デジタルＲＧＢ表示データＤＲ，ＤＧ，ＤＢとして出力される。
【００３２】
また、制御部１２に設けられた信号生成部５７に対し、外部信号Ｘおよび液晶表示装置１０内で生成されたクロック信号ＥＸＴ  ＣＬＫが入力される。信号生成部５７は、外部信号Ｘの入力開始時点または入力停止時点から、クロック信号ＥＸＴ  ＣＬＫをカウントする事により、複数の制御信号、即ち、第１制御信号Ｎ１，第２制御信号Ｎ２，第３制御信号Ｎ３を生成する。
【００３３】
これらの前処理部４５と、ＤＥカウンタ４６と、ＨＳＹＮＣカウンタ４７と、ＤＯＴＣＬＫカウンタ４８と、ＯＥ生成回路５１と、ストローブ生成回路５２と、ＰＯＬ生成回路５３と、ＥＩＳ生成回路５４と、データシフト回路５５等の構成は、従来の制御部における構成と実質的に相違はなく、動作原理も同様であるので、詳細な説明は省略する。
【００３４】
但し、外部信号Ｘおよび液晶表示装置１０内で生成されたクロック信号ＥＸＴ  ＣＬＫが、信号生成部５７に入力されている点が、従来の制御部との相違点である。
【００３５】
電源電圧ＶＩＮは電源部１３に入力されている（図１参照）。
【００３６】
電源部１３は、供給された電源電圧ＶＩＮ（例えば１２ボルト）を基に、液晶表示装置１０内で使用される各種の電圧を生成する。例えば、制御部１２のロジック部と、信号線駆動部１５のロジック部と、走査線駆動部１６のロジック部に対して、駆動用電圧ＶＤＤを生成する。
【００３７】
また、電源部１３は、ガンマ補正部１４に対して、基準電圧ＶＣＯＭ１およびＶＣＯＭ２と、共通電圧ＶＣＯＭを生成する。
【００３８】
更に、電源部１３は、信号線駆動部１５の非ロジック部（例えば出力部）に対して、所定の電圧ＶＧＥＮを生成する。電源部１３は、走査線駆動部１６の非ロジック部（例えば出力部）に対して、高電圧ＶＧＨおよび低電圧ＶＧＬを生成する。電源部１３は、液晶パネル１１の共通電極に印加するための共通電圧ＶＣＯＭを生成する。
【００３９】
ガンマ補正部１４は、電源部１３から供給された基準電圧ＶＣＯＭ１およびＶＣＯＭ２を抵抗分圧することにより、階調基準電圧ＶＧＭ１〜ＶＧＭ１０を生成し、信号線駆動部１５へ供給する。
【００４０】
信号線駆動部１５は、１８ビットラッチ、シフトレジスタ、サンプリングメモリ、ホールドメモリ、レベルシフタ、分圧回路、ＤＡ変換器、出力部（いずれも図示せず）を備えている。
【００４１】
制御部１２から信号線駆動部１５へ入力された表示データを構成する各６ビットのデータＤＲ，ＤＧ，ＤＢは、信号線駆動部１５内のラッチにおいて時分割で、内部にラッチされる。
【００４２】
そして、信号線駆動部１５内のサンプリングメモリ、ホールドメモリ、レベルシフタを経て、水平同期信号ＨＳＹＮＣに同期して発生されるスタートパルスＥＩＳに基づいて、分圧回路からの基準電圧を基に、ＤＡ変換器により、ＤＡ変換が行われる。
【００４３】
このことにより、ガンマ補正されたアナログ電圧（階調電圧）が発生され、出力バッファ（出力部）を経て、液晶パネル１１のＹ１〜Ｙｎ（図示せず）からなるｎ本の信号線１７に供給される。
【００４４】
また、制御部１２から走査線駆動部１６へ供給された垂直同期信号ＶＳＹＮＣに同期し発生されるクロック信号ＣＰＶと、スタートパルスＦＬＭは、走査線駆動部１６により処理される。そして走査信号は、液晶パネル１１のＸ１〜Ｘｍ（図示せず）からなるｍ本の走査線１８に供給される。
【００４５】
次に、図３に従い、電源部１３を説明する。図３において、電源部１３は電源電圧検知回路６０と、スイッチングレギュレータ６１と、電源ＩＣ６２とを有している。更に電源部１３は、スイッチングレギュレータ６３と、スイッチ部６４と、変換回路６５と、スイッチ部６６と、スイッチングレギュレータ６７と、スイッチ部６８を有している。
【００４６】
電源電圧検知回路６０は、電源電圧ＶＩＮが所定値（例えば、直流１２ボルト）以上になると、電圧ＶＣＣ（例えば、直流１４ボルト）を出力する。そして、電源電圧検知回路６０は、電源電圧ＶＩＮが所定値未満になると、電圧ＶＣＣの出力を停止する。
【００４７】
スイッチングレギュレータ６１は電源電圧検知回路６０に接続され、電圧ＶＣＣが入力される。スイッチングレギュレータ６１は電源ＩＣ６２に接続され、ＰＷＭ制御信号Ｐ１が入力される。スイッチングレギュレータ６１は上記信号Ｐ１により、駆動電圧ＶＤＤ（３．３ボルト）を出力する。
【００４８】
これらの電源電圧検知回路６０と、電源ＩＣ６２と、スイッチングレギュレータ６１とにより、駆動電圧変換部６９が構成されている。駆動電圧変換部６９は、駆動電圧ＶＤＤを出力するものである。
【００４９】
また、図示していないが、発振器は、駆動電圧変換部６９の出力側に接続され、駆動電圧ＶＤＤが供給されている。この様に、発振器が発振するクロック信号ＥＸＴ  ＣＬＫは電源部１３が出力する駆動電圧ＶＤＤと、殆ど同時に立ち上がり、駆動電圧ＶＤＤと、殆ど同時に立ち下がる様に、構成されている。
【００５０】
スイッチングレギュレータ６３は電源電圧検知回路６０に接続され、電圧ＶＣＣが入力される。スイッチングレギュレータ６３は電源ＩＣ６２に接続され、ＰＷＭ制御信号Ｐ２が入力される。スイッチングレギュレータ６３は上記信号Ｐ２により、５ボルトを出力する。
【００５１】
これらの電源電圧検知回路６０と、電源ＩＣ６２と、スイッチングレギュレータ６３とにより、電圧（例えば５ボルト）を出力するための電圧変換部７０が構成されている。
【００５２】
スイッチ部６４は例えばＭＯＳＦＥＴ等からなる。スイッチ部６４は、電圧変換部７０の出力側に接続されている。スイッチ部６４の制御端子は、第２制御信号Ｎ２が入力される。
【００５３】
第２制御信号Ｎ２がロウレベルの時、スイッチ部６４は開成し、電圧変換部７０は電圧を出力しない。第２制御信号Ｎ２がハイレベルの時、スイッチ部６４は閉成し、電圧変換部７０は、所定の電圧ＶＧＥＮ（５ボルト）を出力する。
【００５４】
変換回路６５は例えば、チャージポンプと安定化回路等からなり、スイッチングレギュレータ６３に接続されている。
【００５５】
上記電源電圧検知回路６０と、電源ＩＣ６２と、スイッチングレギュレータ６３と、変換回路６５とにより、電圧（例えば１５ボルト）を出力するための電圧変換部７１が構成されている。
【００５６】
スイッチ部６６は例えばＭＯＳＦＥＴ等からなる。スイッチ部６６は、電圧変換部７１の出力側に接続されている。スイッチ部６６の制御端子は、第３制御信号Ｎ３が入力される。
【００５７】
第３制御信号Ｎ３がロウレベルの時、スイッチ部６６は開成し、電圧変換部７１は電圧を出力しない。第３制御信号Ｎ３がハイレベルの時、スイッチ部６６は閉成し、電圧変換部７１は、高電圧ＶＧＨ（１５ボルト）を出力する。
【００５８】
スイッチングレギュレータ６７は電源電圧検知回路６０に接続され、電圧ＶＣＣが入力される。スイッチングレギュレータ６７は電源ＩＣ６２に接続され、ＰＷＭ制御信号Ｐ３が入力される。スイッチングレギュレータ６７は上記信号Ｐ３により、−１５ボルトを出力する。
【００５９】
上記電源電圧検知回路６０と、電源ＩＣ６２と、スイッチングレギュレータ６７とにより、電圧（例えば−１５ボルト）を出力するための電圧変換部７２が構成されている。
【００６０】
スイッチ部６８は例えばＭＯＳＦＥＴ等からなる。スイッチ部６８は、電圧変換部７２の出力側に接続されている。スイッチ部６８の制御端子は、第１制御信号Ｎ１が入力される。
【００６１】
第１制御信号Ｎ１がロウレベルの時、スイッチ部６８は開成し、電圧変換部７２は電圧を出力しない。第１制御信号Ｎ１がハイレベルの時、スイッチ部６８は閉成し、電圧変換部７２は、低電圧ＶＧＬ（−１５ボルト）を出力する。以上の部品により、電源部１３は構成されている。
【００６２】
次に、再び図１ないし図４に従い、液晶表示装置１の動作を説明する。最初に、使用者（ユーザ）は、例えば、ナビゲーション本体に設けられたスタートボタン（図示せず）を押したものとする。
【００６３】
スタートボタンが設けられた入力部は、電源回路（共に図示せず）に接続されている。電源回路は所定の電源を直流１２ボルトに変換するものである。その結果、電源部１３に対して、電源電圧ＶＩＮ（直流１２ボルト）はオンする（入力が始まる）。
【００６４】
電源部１３において、電圧ＶＣＣ（１４ボルト）が生成され、駆動電圧変換部６９により、駆動電圧ＶＤＤが立ち上がり、ハイレベルとなる（図３と図４（ａ）を参照）。
【００６５】
この時、電源部１３は、信号線駆動部１５と、走査線駆動部１６と、制御部１２に対し、駆動電圧ＶＤＤを出力する。また、この時、クロック信号ＥＸＴ  ＣＬＫは、駆動電圧ＶＤＤと殆ど同時に立ち上がる（図４（ｂ）参照）。
【００６６】
駆動電圧ＶＤＤが立ち上がった後に、制御部１２に対し、外部信号Ｘと、画像データＩＲＤ，ＩＧＤ，ＩＢＤが入力される（図４（ｃ）参照）。即ち、この時、制御部１２は、外部信号Ｘの入力開始を検知する。
【００６７】
この時、制御部１２内に設けられた信号生成部５７は、クロック信号ＥＸＴ  ＣＬＫの数をカウントし始める。
【００６８】
制御部１２は、上記カウント数が所定値に達すると（即ち、外部信号ＥＸＴ  ＣＬＫの入力開始を検知した時点から所定の時間間隔をおいて）、第１制御信号Ｎ１を立ち上がらせ電源部１３へ出力する（図４（ｄ）参照）。
【００６９】
電源部１２は、第１制御信号Ｎ１の立ち上がり（ハイレベルになる）に応じて、スイッチ部６８を閉成し、走査線駆動部１６に対して、低電圧ＶＧＬ（−１５ボルト）を出力する（図３と図４（ｇ）を参照）。
【００７０】
その後、制御部１２は、信号線駆動部１５に対して、表示データＤＲ，ＤＧ，ＤＢと、水平クロック信号Ｘ＿ＣＬＫと、極性反転信号ＰＯＬと、ストロ−ブ信号ＳＴＲＢと、スタートパルス信号ＥＩＳを出力する。
【００７１】
制御部１２は、第１制御信号Ｎ１の立ち上がり時点から、所定の時間間隔をおいて、第２制御信号Ｎ２を立ち上がらせ、電源部１３へ出力する（図４（ｅ）参照）。
【００７２】
電源部１２は、第２制御信号Ｎ２の立ち上がり（ハイレベルになる）に応じて、スイッチ部６４を閉成し、信号線駆動部１５に対して、所定の電圧ＶＧＥＮ（５ボルト）を出力する（図３と図４（ｈ）を参照）。
【００７３】
その後、制御部１２は走査線駆動部１６に対し、スタートパルスＦＬＭ、垂直クロック信号ＣＰＶ、ゲートイネーブル信号ＤＥを出力する。
【００７４】
制御部１２は、第２制御信号Ｎ２の立ち上がり時点から、所定の時間間隔をおいて、第３制御信号Ｎ３を立ち上がらせ、電源部１３へ出力する（図４（ｆ）参照）。
【００７５】
電源部１２は、第３制御信号Ｎ３の立ち上がり（ハイレベルになる）に応じて、スイッチ部６６を閉成し、走査線駆動部１６に対して、高電圧ＶＧＨ（１５ボルト）を出力する（図３と図４（ｉ）を参照）。
【００７６】
その結果、液晶パネル１１において、表示データＤＲ，ＤＧ，ＤＢによる表示が開始される。
【００７７】
上記内容を以下にまとめる。制御部１２は外部信号Ｘの入力開始を検知すると、制御部１２は電源部１３に対し、各々、時間間隔をおいて順番に、複数の制御信号Ｎ１，Ｎ２，Ｎ３を立ち上がらせる。
【００７８】
そして、制御部１２は電源部１３を介して、走査線駆動部１６および信号線駆動部１５に対し、前記順番通りに、各電圧ＶＧＬ，ＶＧＥＮ，ＶＧＨを立ち上がらせる。この様に各制御信号Ｎ１，Ｎ２，Ｎ３が順番に立ち上がせる事により、各電圧ＶＧＬ，ＶＧＥＮ，ＶＧＨが順番に立ち上がる。
【００７９】
また、上記内容を別の表現にて、以下にまとめる。最初に、駆動電圧ＶＤＤが立ち上がる。その後に、各制御信号Ｎ１，Ｎ２，Ｎ３が立ち上がり、各スイッチ部６８，６４，６６が順番に閉成される事により、各電圧が前記順番通りに、立ち上がる。
【００８０】
即ち、最初に、駆動電圧ＶＤＤが立ち上がる。その後に、走査線駆動部１６の出力部に対し、低電圧ＶＧＬが出力される。その後に信号線駆動部１５の出力部に対し、所定の電圧ＶＧＥＮが出力される。その後に、走査線駆動部１６の出力部に対し、高電圧ＶＧＨが出力される。
【００８１】
次に、液晶表示装置１０が表示終了するまでの動作を説明する。最初に、制御部１２は、外部信号Ｘの入力停止を検知する（図４（ｃ）参照）。この時、制御部１２内に設けられた信号生成部５７は、クロック信号ＥＸＴ  ＣＬＫの数をカウントし始める。
【００８２】
制御部１２は、前記検知後、所定の時間間隔をおいて、第３制御信号Ｎ３を立ち上がらせ、電源部１３へ出力する（図４（ｆ）参照）。
【００８３】
電源部１３は、第３制御信号Ｎ３の立ち下がり（ロウレベルになる）に応じて、スイッチ部６６を開成し、走査線駆動部１６に対して、高電圧ＶＧＨ（１５ボルト）を立ち下がらせる（図４（ｉ）を参照）。
【００８４】
制御部１２は、第３制御信号Ｎ３の立ち下がり時点から、所定の時間間隔をおいて、第２制御信号Ｎ２を立ち下がらせ、電源部１３へ出力する（図４（ｅ）参照）。
【００８５】
電源部１３は、第２制御信号Ｎ２の立ち下がり（ロウレベルになる）に応じて、スイッチ部６４を開成し、信号線駆動部１５に対して、所定の電圧ＶＧＥＮ（５ボルト）を立ち下がらせる（図４（ｈ）を参照）。
【００８６】
制御部１２は、第２制御信号Ｎ２の立ち下がり時点から、所定の時間間隔をおいて、第１制御信号Ｎ１を立ち下がらせ、電源部１３へ出力する（図４（ｄ）参照）。
【００８７】
電源部１３は、第１制御信号Ｎ１の立ち下がり（ロウレベルになる）に応じて、スイッチ部６８を開成し、走査線駆動部１６に対して、低電圧ＶＧＬ（−１５ボルト）を立ち下がらせる（図４（ｇ）を参照）。
【００８８】
その後、クロック信号ＥＸＴ  ＣＬＫ等の入力が停止し（図４（ｂ）参照）、表示が終了する。その後、駆動電圧ＶＤＤの出力も停止する（図４（ａ）参照）。
【００８９】
上記内容を以下にまとめる。制御部１２は外部信号Ｘの入力停止を検知すると、制御部１２は電源部１３に対し、各々、時間間隔をおいて、前記立ち上がり時の順番とは逆順に、複数の制御信号Ｎ３，Ｎ２，Ｎ１を立ち下がらせる。
【００９０】
そして、制御部１２は電源部１３を介して、走査線駆動部１６および信号線駆動部１５に対し、前記逆順通りに、各電圧ＶＧＨ，ＶＧＥＮ，ＶＧＬを立ち下がらせる。
【００９１】
また、上記内容を別の表現にて、以下にまとめる。電源電圧ＶＩＮがオフする前に、電源部１３は、信号線駆動部１５および走査線駆動部１６および制御部１２に対し、駆動電圧ＶＤＤを出力する。
【００９２】
その後に、電源部１３は走査線駆動部１６の出力部に対し、高電圧ＶＧＨの出力を停止する。その後に、電源部１３は信号線駆動部１５の出力部に対し、所定の電圧ＶＧＥＮを停止する。その後に、電源部１３は、走査線駆動部１６の出力部に対し、低電圧ＶＧＬの出力を停止する。
【図面の簡単な説明】
【００９３】
【図１】本発明の実施例に係る液晶表示装置１０のブロック図である。
【図２】上記装置１０に用いられる制御部１２のブロック図である。
【図３】上記装置１０に用いられる電源部１３のブロック図である。
【図４】上記装置１０に用いられる各データ等のタイミングチャートである。
【符号の説明】
【００９４】
１１  液晶パネル
１２  制御部
１３  電源部
１５  信号線駆動部
１６  走査線駆動部
１７  信号線
１８  走査線
【図１】
2007065136.tif 000003
【図２】
2007065136.tif 000004
【図３】
2007065136.tif 000005
【図４】
2007065136.tif 000006